(57)【特許請求の範囲】
【請求項１】
シートバックの側部に取り付けられる上部ブラケットと、シートクッションの側部に取り付けられる下部ブラケットとを備え、
シートバックを該ブラケット相互の相対する板面に挿通する枢軸で所定の立付け位置より前後に傾倒可能に装備すると共に、
下部ブラケットの板面より上部ブラケットに向けて伸長スプリングで突出偏位するストッパピンを備え、そのストッパピンを上部ブラケットの縁辺に設けた半円形のピン受け孔と、下部ブラケットの板面に取り付けられて該ピン受け孔と整合する半円形の凹部を有するピン受け片とに係合し、シートバックを所定の立付け位置乃至は傾倒位置でロック可能に装備するシート用リクライニング装置において、
前記ピン受け片はシートバックの前，後傾倒時に上部ブラケットを受止め支持するストッパ片を兼ねて下部ブラケットの板面に備え付けたことを特徴とするシート用リクライニング装置。
【発明の詳細な説明】
【０００１】
【発明の属する技術分野】
本発明は、自動車用等のシートにおいてシートバックを所定の立付け位置から前後に傾倒可能に組み立てるシート用リクライニング装置に係り、詳しくはシートバックを所定の立付け位置または前後の傾倒位置で位置決め規制する位置決め機構を主眼としたシート用リクライニング装置の改良に関するものである。
【０００２】
【従来の技術】
一般に、シート用リクライニング装置はシートバックの側部に取り付けられる上部ブラケットと、シートクッションの側部に取り付けられる下部ブラケットとを備え、枢軸を上部ブラケットと下部ブラケットとの相対する板面に挿通し、この枢軸を支点に、シートバックを前，後に傾倒できるようシートクッションとの間に組み付けられている。
【０００３】
そのシート用リクライニング装置においては、軸先端側を上部ブラケットの下縁辺に設けた半円形のピン受け孔と、このピン受け孔と整合する半円形の凹部を設けたピン受け片を下部ブラケットの板面に備えることによりロックピンを所定な立付け位置で係合するのに加えて、シートバックの前，後の傾倒位置で下部ブラケットの上部両側に設けた肩部と係合するストッパピンを上部ブラケットに備えることによりシートバックを前，後の傾倒位置で位置規制可能に構成するものがある。
【０００４】
然し、このシート用リクライニング装置ではロックピンと共に、ストッパピンを備えることから部品点数が多く組み立てにも手間が掛る。
【０００５】
【発明が解決しようとする課題】
本発明は、シートバックの前，後傾倒位置を規制可能な機構を含めて全体的に簡略に構成するシート用リクライニング装置を提供することを目的とする。
【０００６】
【課題を解決するための手段】
本発明の請求項１に係るシート用リクライニング装置においては、ピン受け片をシートバックの前，後傾倒時に上部ブラケットを側辺で受止め支持可能なストッパ片を兼ねて備え付けることにより構成されている。
【０００７】
【発明の実施の形態】
以下、添付図面を参照して説明すると、図面においてはドライバーシートの右側部に装備するシート用ブラケット装置が例示されている。そのシート用ブラケット装置は、図１，２で示すようにシートバックＢの側部に取り付けられる上部ブラケット１と、シートクッションＣの側部に取り付けられる下部ブラケット２とを備えてシートバックＢとシートクッションＣとを一体に組み立てるよう装備されている。
【０００８】
上部ブラケット１は下部寄り板面を下部ブラケット２の後部寄り板面と相対させて内側に位置し、枢軸３を下部ブラケット１と相対する板面間に挿通することにより下部ブラケット２で軸承支持されている。この枢軸３を支点に、シートバックＢはシートクッションＣに対する所定の立付け位置より前後に傾倒自在に備えられている。
【０００９】
そのリクライニング装置においては、ストッパピン４が下部ブラケット２の板面より上部ブラケット１の後述するピン受け孔に向けて突出係合するよう備え付けられている。このストッパピン４はコイルスプリング５で弾圧偏位自在に支持され、且つ、操作ノブ６による引張で上部ブラケットのピン受け部より離脱自在に装備されている。この基本的な構成から、シートバックＢはストッパピン４で所定の立付け位置並びに前後の傾倒位置でロック可能に装備されている。
【００１０】
そのストッパピン４としては、軸先端側４ａ並びに軸後端側４ｂを軸中腹部４ｃよりも相対的に小さな径に形成したものが備えられている。また、軸先端側４ａの端面を半球形に形成し、軸先端寄り段部面４ｄを後述するピン受け部の孔縁と係合するテーパーピンが備えられている。このストッパピン４は、片端側が開放された有底筒状で貫通孔７ａが底部面に設けられたピンホルダー７に組み付けることにより下部ブラケット２の板面に取り付けられている。
【００１１】
そのストッパピン４と対応し、上部ブラケット１には図３で示すようにストッパピン４のピン受け孔１ａ，１ｂ，１ｃが枢軸３を中心とする同心円上で下部寄り板面の外周縁に複数個設けられている。このピン受け孔１ａ，１ｂ，１ｃは、シートバックＢの立付け位置並びに前，後の傾倒位置に合せて少なくとも三個設けられている。また、ストッパピン４の係合，離脱を容易に行えるようにするべく、各ピン受け孔１ａ，１ｂ，１ｃはストッパピン４の先端軸部４ａが嵌り合う同径で上半円形の切欠として夫々形成されている。
【００１２】
そのピン受け孔１ａ，１ｂ，１ｃと共に、ストッパピン４の軸先端側４ａを下部側より軸受けするピン受け片８が下部ブラケット２の板面に備え付けられている。このピン受け片８は、ピン受け孔１ａ，１ｂ，１ｃの切欠と整合する凹部８ａを中央に有し、この中央の凹部８ａから上り勾配の傾斜部８ｂ，８ｃを備えて形成されている。そのピン受け片８は、シートバックの前，後傾倒時に傾斜部８ｂ，８ｃが上部ブラケット１を各側辺で受止め可能なストッパ片を兼ねて備え付けられている。
【００１４】
このように構成するシート用ブラケット装置では、ストッパピン４を軸先端側で上部ブラケット１のいずれかのピン受け孔１ａ，１ｂ，１ｃと係合することによりシートバックＢを所定の立付け位置乃至は前，後の傾倒位置でロック固定できるよう組み付けられている。また、そのストッパピン４を操作ノブ６で引張操作すれば、軸先端側４ａを上部ブラケット１のピン受け孔１ａ，１ｂ，１ｃより離脱できるから、シートバックＢを所定の立付け位置に復帰しまたは前，後に傾倒できるよう構成されている。
【００１５】
ストッパピン４は、軸先端側４ａを下部側より軸受けするピン受け片８がピン受け孔１ａ，１ｂ，１ｃとの係合状態を安定よく保つことができる。そのピン受け片８は、図４，５で示すように傾斜部８ｂ，８ｃが上部ブラケット１を側辺で受け止めることによりシートバックを前，後の傾倒位置で安定よく位置決めするようにできる。また、各傾斜部８ｂ，８ｃはシートバックを前，後の傾倒位置に揺動するときに上部ブラケット１のガイドとしても機能することからシートバックを前，後の傾倒位置に円滑に誘導することができる。
【００１６】
なお、ストッパピン４は伸長スプリング５を軸後端側４ｂの段部面４ｅに亘る軸線上に嵌挿し、このコイルスプリング５を含む中腹軸部４ｃまでをピンホルダー７の開放端側７ｂより筒内に収容することによりピンホルダー７に組み付けられている。また、操作ノブ６が取り付けられる軸後端側４ｂをピンホルダー７の底部面に設けた貫通孔７ａより外方に突出すると共に、軸先端側４ａをピンホルダー７の開放端側７ｂより外方に突出することにより、ストッパピン４は伸長スプリング５で弾圧偏位自在に支持させてピンホルダー７に組み付けられている。
【００１７】
そのピンホルダー７は、段部７ｃを開放端寄りの外周面に設けて下部ブラケット２の板面に圧入嵌合し、突端側を押潰し成形したクリンチ部で止着することにより下部ブラケット２の板面に直止め固定されている。これと共に、ストッパピン４は軸先端側４ａが後述する上部ブラケット１のピン受け部と嵌り合う方向に伸長スプリング５で弾圧偏位自在に支持することによりピンホルダー７で保持されている。
【００１８】
また、上述した枢軸３は図１，２で示すように頭部３ａを有する支軸を用い、支軸部３ｂを下部ブラケット２の板面に挿通すると共に、上部ブラケット１の板面より突出する支軸部３ｃの突端側を押潰し成形することによりクリンチ部３ｅで各ブラケット１，２に直止め装備することができる。その枢軸３を含めてピンホルダー７も直止めすることから、このシート用リクライニング装置は装置全体として極めて簡略なものに構成することができる。
【００１９】
そのシートバックＢを傾倒し乃至は復帰動するときには枢軸３が上部ブラケット１と一体にズレ回転するから、クリンチ部３ｅがシートバックＢの側部と摺れ合うことがない。その枢軸３のクリンチ部３ｅはワッシャ９を枢軸３の軸線上に嵌挿固定し、遮蔽カバー１０をワッシャ９に嵌合せ固定することからワッシャ９の内部に封入するよう構成することができる。
【００２０】
そのワッシャ９は、枢軸３の支軸部３ｃを挿通する軸受け部９ａと、該軸受け部９ａより上部ブラケット１の板面と離間する方向に張り出す外周フランジ部９ｂを備えて円形皿状に形成されている。このワッシャ９は軸受け部９ａを座部として上部ブラケット１の板面にあてがい、上述した如く軸受け部９ａより外周フランジ部９ｂの内側に突出する支軸部３ｄの軸端を押し潰すことから、枢軸３の軸線をクリンチ部３ｅで上部ブラケット１の板面に直止めさせて上部ブラケット１と一体に締付け固定するようにできる。
【００２１】
遮蔽カバー１０はカバー本体の平坦な外表面１０ａをシートバックＢの側部に対接し、その内面側から突出する複数個の掛止め爪１０ｂをワッシャ９の外周フランジ部９ｂに係合することによりワッシャ９に嵌合せ固定することができる。また、突片（図示せず）を周側フランジ部１０ｃより起立形成し、この突片を上部ブラケット１の板面に設けた止め穴（図示せず）に嵌め込むことから、遮蔽カバー１０も上部ブラケット１に回止め固定するようにできる。
【００２２】
その枢軸３はクリンチ部３ｅが平坦な外表面１０ａをシートバックＢの側部と対接する遮蔽カバー１０でワッシャ９の内部に封入収容されているため、クリンチ部３ｅをシートバックＢの側部と接触するのも確実に防げぐことができる。また、遮蔽カバー１０は枢軸３のクリンチ部３ｅで締付け固定するワッシャ４と共に上部ブラケット１と一体に備え付けられているから、シートバックＢには遮蔽カバー１０が回転することによる摩擦力が加わることもない。
【００２３】
上述した各部に加えて、波形ワッシャ１１を枢軸１の軸線上で、上部ブラケット１と下部ブラケット２との相対する板面間に介装させて組み付けることができる。この波形ワッシャ１１を介装すると、上部ブラケット１の摺動間隔を上部ブラケット１と下部ブラケット２との板面間に波形ワッシャ１１で保て、上部ブラケット１を枢軸３と共に下部ブラケット２の板面に挿通した枢軸３の支軸部３ａで円滑にズレ回転できるところから好ましい。
【００２４】
【発明の効果】
以上の如く、本発明に係るシート用リクライニング装置に依れば、ピン受け片がシートバックの前，後傾倒位置で上部ブラケットを受け止めるストッパ片を兼ねることから、装置全体として簡略に構成でき、シートバックを安定よく各傾倒位置で位置決めすることができる。
【図面の簡単な説明】
【図１】本発明に係るシート用リクライニング装置をシート前部側より示す正面図である。
【図２】同シート用リクライニング装置を示す部分拡大正面図である。
【図３】同シート用リクライニング装置をシートバック並びにシートクッションの対面側より示す側面図である。
【図４】同シート用リクライニング装置でシートバックを前倒しした状態を示す説明図である。
【図５】同シート用リクライニング装置でシートバックを後倒しした状態を示す説明図である。
【符号の説明】
Ｂ                    シートバック
Ｃ                    シートクッション
１                    上部ブラケット
１ａ，１ｂ，１ｃ      ピン受け孔
２                    下部ブラケット
３                    枢軸
４                    ストッパピン
５                    伸長スプリング
６                    操作ノブ
８                    ピン受け片
【図１】
0003637376.tif 000002
【図２】
0003637376.tif 000003
【図３】
0003637376.tif 000004
【図４】
0003637376.tif 000005
【図５】
0003637376.tif 000006